(57)【要約】【課題】送信者と受信者との両方の意図を柔軟に反映させて送信端末から受信端末にメッセージを送信することが可能な通信装置、及び、メッセージ送信方法を提供することを目的とする。【解決手段】移動通信装置１０は、送信端末設定データ格納部１０１に格納されている送信端末設定データと、受信端末設定データ格納部１０２に格納されている受信端末設定データと、の設定内容の組合せに応じて、送信端末２０ａから受信端末２０ｂ宛てに送信されたメッセージのメディア種別を変換する。【選択図】  図１
2007143015.tif 000002
【特許請求の範囲】
【請求項１】
送信端末から受信端末宛てに送信されたメッセージを中継する通信装置において、
前記送信端末から入力された送信端末設定データを格納する送信端末設定データ格納手段と、
前記受信端末から入力された受信端末設定データを格納する受信端末設定データ格納手段と、
前記送信端末設定データと前記受信端末設定データとの設定内容の組合せに基づいて、前記送信端末から前記受信端末宛てに送信されたメッセージのメディア種別を変換する変換手段と
を備えることを特徴とする通信装置。
【請求項２】
前記変換手段は、
前記受信端末設定データと前記送信端末設定データとの両方でメッセージ変換方式が設定されている場合には、
前記受信端末設定データで設定されているメッセージ変換方式よりも前記送信端末設定データで設定されているメッセージ変換方式を優先することを特徴とする
請求項１に記載の通信装置。
【請求項３】
前記変換手段は、
前記送信端末から前記受信端末宛てに送信された所定のメディア種別のメッセージを前記受信端末が受信できない環境にある時には、前記受信端末設定データで設定されているメッセージ変換方式に基づいて、前記メッセージのメディア種別を前記受信端末が受信可能なメディア種別に変換することを特徴とする
請求項１又は２に記載の通信装置。
【請求項４】
前記送信端末設定データと前記受信端末設定データとの少なくとも一方において、前記送信端末と前記受信端末との少なくとも一方の位置情報に関する条件が設定されており、
前記位置情報に関する条件が全て満たされた時に前記送信端末からのメッセージを前記受信端末宛てに送信するメッセージ送信手段をさらに備えることを特徴とする
請求項１から３の何れか１項に記載の通信装置。
【請求項５】
送信端末から受信端末へのメッセージ送信を制御するメッセージ送信方法において、
通信装置が、前記送信端末から入力された送信端末設定データ、及び、前記受信端末から入力された受信端末設定データを格納する設定データ格納ステップと、
前記通信装置が、前記送信端末設定データと前記受信端末設定データとの設定内容の組合せに基づいてメディア種別を決定し、前記送信端末から前記受信端末宛てに送信されたメッセージのメディア種別を前記決定されたメディア種別に変換する変換ステップと、
前記通信装置が、前記送信端末設定データと前記受信端末設定データとの設定内容の組合せに基づいて位置情報に関する条件が満たされたか否かを判定し、該条件が満たされたと判定された時に前記変換ステップにおいて変換されたメッセージを前記受信端末宛てに送信するメッセージ送信ステップと
を有することを特徴とするメッセージ送信方法。
【発明の詳細な説明】
【技術分野】
【０００１】
本発明は、送信端末から受信端末宛てに送信されたメッセージを中継する通信装置、及び、メッセージ送信方法に関するものである。
【背景技術】
【０００２】
近年では、１台の携帯端末や固定端末によって、音声通話、電子メール、ボイスメール、映像等、様々なメディア種別による通信が可能となってきている。
このような通信環境において、受信者の利便性を高めるために、送信端末から送信されるメッセージのメディア種別に関わらず、受信端末が予め受信者により設定されたメディア種別でメッセージを受信することを可能とする技術も提案されている（例えば、特許文献１参照）。このような技術においては、例えば、図７に示すような処理手順でメッセージの送信が行われる。すなわち、ＰＢＸ（Private Branch eXchange）等の通信装置が、携帯端末又は固定端末から電子メールを受信すると（ステップＳ１１）、予め自装置に格納されている受信端末設定データを参照して（ステップＳ１２）、送信端末から受信した電子メールのメディア種別を変換し（ステップＳ１３）、データベースに変換後のメッセージを蓄積する（ステップＳ１４）。受信者は、携帯端末又は固定端末を操作して、ＰＢＸから蓄積メッセージを取得し聴取する（ステップＳ１５）。
【特許文献１】特開２００２−０５７６９３号公報（段落００１０〜００１２）
【発明の開示】
【発明が解決しようとする課題】
【０００３】
このような従来技術では、メッセージを受信者の望むメディア種別に変換することは可能であるが、送信者と受信者との両方の意図を各種条件や環境に応じて柔軟に反映させ、メッセージ変換を行うことはできなかった。
さらに、送信者は、受信者が居る場所や送信者と受信者との間の距離に応じて受信者にメッセージを知らせたい場合がある。また、受信者はセキュリティ上特定の場所でのみメッセージを受信したい場合がある。このように、送信者及び受信者は場所に基づいて自動的にメッセージの送受信を行いたいというニーズがあるが、これらのニーズを柔軟に反映してメッセージを送受信する仕組みが存在しなかった。
本発明は、上述した課題に鑑みてなされたものであり、送信者と受信者との両方の意図を柔軟に反映させて送信端末から受信端末にメッセージを送信することが可能な通信装置、及び、メッセージ送信方法を提供することを目的とする。
【課題を解決するための手段】
【０００４】
上記課題を解決するために、請求項１に記載の発明は、送信端末から受信端末宛てに送信されたメッセージを中継する通信装置において、前記送信端末から入力された送信端末設定データを格納する送信端末設定データ格納手段と、前記受信端末から入力された受信端末設定データを格納する受信端末設定データ格納手段と、前記送信端末設定データと前記受信端末設定データとの設定内容の組合せに基づいて、前記送信端末から前記受信端末宛てに送信されたメッセージのメディア種別を変換する変換手段とを備えることを特徴とする通信装置を提供する。
【０００５】
本発明によれば、通信装置は、送信端末設定データと受信端末設定データとの設定内容の組合せに基づいて、送信端末から受信端末宛てに送信されたメッセージのメディア種別を変換するため、送信者と受信者との両方の意図を柔軟に反映させてメッセージのメディア種別を変換し、受信端末に送信することができる。これにより、メディア種別の選択範囲や、マルチメディアによるメッセージ送信サービスの利用範囲を広げることが可能となる。
【０００６】
請求項２に記載の発明は、請求項１に記載の通信装置において、前記変換手段は、前記受信端末設定データと前記送信端末設定データとの両方でメッセージ変換方式が設定されている場合には、前記受信端末設定データで設定されているメッセージ変換方式よりも前記送信端末設定データで設定されているメッセージ変換方式を優先することを特徴とする。
本発明によれば、受信端末設定データと送信端末設定データとの両方においてメッセージ変換方式が設定されている場合には、受信端末設定データで設定されているメッセージ変換方式よりも送信端末設定データで設定されているメッセージ変換方式を優先することで、送信者の意思を尊重することができ、送信者が意図したメディア種別で受信者にメッセージを視聴してもらうことができる。
【０００７】
請求項３に記載の発明は、請求項１又は２に記載の通信装置において、前記変換手段は、前記送信端末から前記受信端末宛てに送信された所定のメディア種別のメッセージを前記受信端末が受信できない環境にある時には、前記受信端末設定データで設定されているメッセージ変換方式に基づいて、前記メッセージのメディア種別を前記受信端末が受信可能なメディア種別に変換することを特徴とする。
本発明によれば、受信端末が所定のメディア種別のメッセージを受信できない環境にあっても、受信端末設定データの設定内容に基づいてメッセージのメディア種別を変換することで、受信端末は受信者の意図するメディア種別でメッセージを受信することができ、マルチメディアによるメッセージ受信の利用範囲を広げることができる。
【０００８】
請求項４に記載の発明は、請求項１から３の何れか１項に記載の通信装置において、前記送信端末設定データと前記受信端末設定データとの少なくとも一方において、前記送信端末と前記受信端末との少なくとも一方の位置情報に関する条件が設定されており、前記位置情報に関する条件が全て満たされた時に前記送信端末からのメッセージを前記受信端末宛てに送信するメッセージ送信手段をさらに備えることを特徴とする。
本発明によれば、送信端末設定データと受信端末設定データとで設定されている位置情報に関する条件が全て満たされた時に送信端末からのメッセージを受信端末宛てに送信するため、送信者及び受信者により設定されている位置情報に関する条件を二重にチェックしてメッセージを送信することができ、情報セキュリティを高めて情報漏洩をできるだけ少なくすることができる。
【０００９】
請求項５に記載の発明は、送信端末から受信端末へのメッセージ送信を制御するメッセージ送信方法において、通信装置が、前記送信端末から入力された送信端末設定データ、及び、前記受信端末から入力された受信端末設定データを格納する設定データ格納ステップと、前記通信装置が、前記送信端末設定データと前記受信端末設定データとの設定内容の組合せに基づいてメディア種別を決定し、前記送信端末から前記受信端末宛てに送信されたメッセージのメディア種別を前記決定されたメディア種別に変換する変換ステップと、前記通信装置が、前記送信端末設定データと前記受信端末設定データとの設定内容の組合せに基づいて位置情報に関する条件が満たされたか否かを判定し、該条件が満たされたと判定された時に前記変換ステップにおいて変換されたメッセージを前記受信端末宛てに送信するメッセージ送信ステップとを有することを特徴とするメッセージ送信方法を提供する。
【発明の効果】
【００１０】
本発明によれば、通信装置は、送信端末設定データと受信端末設定データとの設定内容の組合せに基づいて、送信端末から受信端末宛てに送信されたメッセージのメディア種別を変換するため、送信者と受信者との両方の意図を柔軟に反映させてメッセージのメディア種別を変換し、受信端末に送信することができる。これにより、メディア種別の選択範囲や、マルチメディアによるメッセージ送信サービスの利用範囲を広げることが可能となる。
【発明を実施するための最良の形態】
【００１１】
次に、図面を参照して本発明の実施の形態について説明する。
［構成］
図１は、本発明の実施の形態に係る通信ネットワークシステムの構成を示す図である。同図に示すように、本発明の実施の形態に係る通信ネットワークシステムは、移動通信装置１０と、送信端末２０ａと、受信端末２０ｂと、データベース３０と、を含んで構成される。
送信端末２０ａ及び受信端末２０ｂは例えば移動通信端末であり、移動通信網とＷＬＡＮ（wireless LAN）との両方の通信ネットワークを介した通信が可能ないわゆるデュアルモード端末である。
【００１２】
このようなデュアルモード端末を利用した場合には、ユーザは外出先では移動通信網経由で、社内ではＷＬＡＮ経由で、といったように、経由する通信ネットワークを使い分けて、音声データ、電子メール、文字データ、イメージデータ等、複数のメディア種別のメッセージを送受信することができる。
送信端末２０ａ及び受信端末２０ｂは、ＷＬＡＮを経由してのみテキスト形式のインスタントメッセージ（以下「ＩＭ」という）を送受信することが可能である。
【００１３】
次に、移動通信装置１０の構成について説明する。移動通信装置１０は、移動通信端末間のメッセージの送受信を中継及び制御する通信装置であり、装置１０全体を制御するＣＰＵ、記憶装置、通信インターフェース等のハードウェアと、記憶装置に格納されたプログラムやデータ等のソフトウェアと、を備えている。
記憶装置に格納されるソフトウェアには、送信端末２０ａ及び受信端末２０ｂから設定入力されたメッセージ変換方式や位置情報等の設定データ、送信端末２０ａから送信されたメッセージのメディア種別を設定データに従って変換するためのプログラム、及び、設定データに基づいてメッセージを送信すべきか否かを判定するためのプログラムが含まれている。
【００１４】
移動通信装置１０が備えるこれらのハードウェア及びソフトウェアが協働して動作することにより、図２に示す機能構成が移動通信装置１０に実現される。
送信端末設定データ格納部１０１は記憶装置で構成されており、送信者の操作によって送信端末２０ａから入力されて送信されてきた送信端末設定データを格納する。
図３（ａ）には、送信端末設定データ格納部１０１に格納される送信端末設定データのデータ構成の一例を示す。このデータ例は、送信端末２０ａからＩＭが送信される場合の例を示している。この送信端末設定データには、メッセージ変換方式と位置情報に関する条件とが含まれている。
【００１５】
メッセージ変換方式は条件１で示される。条件１には、メッセージ変換の有無、及び、メッセージ変換有りの場合には変換すべきメディア種別が指定されている。同図に示す例では、変換無の場合にはＩＭ送信、変換有の場合には電子メールへの変換と音声データへの変換とが設定可能となっている。
位置情報に関する条件は、条件２，３，４で示される。
条件４には、受信端末２０ｂが通信を中継しているＷＬＡＮアクセスポイント名、受信端末２０ｂが存在する場所の緯度経度、受信端末２０ｂが存在する場所の地理的情報（市町村名）、受信端末２０ｂが送信端末２０ａの半径△ｍ以内に存在する、といった位置情報の範囲の条件を設定することが可能である。また、条件３には、条件４で設定された位置情報の範囲内に受信端末２０ｂが存在していればメッセージを送信する、又は、条件４で設定された位置情報の範囲外に受信端末２０ｂが存在していればメッセージを送信する、といった送信条件を設定することが可能である。
【００１６】
受信端末設定データ格納部１０２は記憶装置で構成されており、受信者の操作によって受信端末２０ｂから入力され送信されてきた受信端末設定データを格納する。
図３（ｂ）は、受信端末設定データ格納部１０２に格納されている受信端末設定データの一例を示す図である。このデータ例も、送信端末２０ａからＩＭが送信される場合の例を示している。この受信端末設定データにも、送信端末設定データと同様に、メッセージ変換方式と位置情報に関する条件とが含まれている。
【００１７】
メッセージ変換方式は、条件ａで示される。条件ａには、送信者による設定がメッセージ変換無しで、かつ、受信端末２０ｂがＷＬＡＮ圏外に存在する場合には、ＩＭはＷＬＡＮ圏外では受信することはできないため、メディア種別を電子メール、音声データ等、ＷＬＡＮ圏外で受信可能な形式に変換するように設定することが可能である。一方、送信者による設定がメッセージ変換無しで、かつ、受信端末２０ｂがＷＬＡＮ圏内に存在する場合には、送信端末２０ａから送信されたＩＭを変換せずにそのまま受信するように設定することが可能である。
【００１８】
位置情報に基づく送信条件は、条件ｂ，ｃ，ｄで示される。
条件ｃには、上述した条件４と同様に位置情報の範囲の条件を設定することが可能である。また、条件ｄには、条件ｃで設定された位置情報の範囲内に受信端末２０ｂが存在していればメッセージを受信し、範囲外ならば受信端末２０ｂが範囲内に入るまでメッセージ受信待ち、といった送信条件を設定することが可能である。
変換部１０３は、送信端末設定データの設定内容及び受信端末設定データの設定内容の組合せに基づいて、送信端末２０ａから受信端末２０ｂ宛てに送信されたメッセージのメディア種別を変換する。変換されたメッセージはデータベース２０に蓄積される。
【００１９】
具体的な変換例としては、例えば、受信端末設定データと送信端末設定データとの両方でメッセージ変換方式が設定されている場合には、変換部１０３は、受信端末設定データで設定されているメッセージ変換方式よりも送信端末設定データで設定されているメッセージ変換方式を優先する。このような優先付けをすることで、送信者の意思を尊重することができ、送信者が聴取してほしいメディア種別で受信者に聴取してもらうことが可能となる。
【００２０】
また、変換部１０３は、送信端末２０ａから受信端末２０ｂ宛てに送信された所定のメディア種別のメッセージを受信端末２０ｂが受信できない環境にある時には、受信端末設定データで設定されているメッセージ変換方式に基づいて、当該メッセージのメディア種別を受信端末２０ｂが受信可能なメディア種別に変換する。例えば、受信端末２０ｂの位置がＷＬＡＮの圏外に存在している等の理由で、受信端末２０ｂがＩＭを受信できない環境にある時には、変換部１０３は、受信端末設定データで設定されているメッセージ変換方式に基づいて、ＩＭを電子メールや音声データに変換する。
メッセージ送信部１０４は、データベース３０に蓄積されている、送信端末２０ａから受信端末２０ｂ宛てのメッセージについて、送信端末設定データと受信端末設定データとで設定されている位置情報に関する条件が全て満たされた時に、当該メッセージを受信端末２０ｂ宛てに転送する。
【００２１】
［全体の処理の流れ］
次に、図１を参照して、送信端末２０ａから受信端末２０ｂ宛てにＩＭが送信された際の全体の処理の流れについて説明する。
前提として、移動通信装置１０は送信端末２０ａ及び受信端末２０ｂの位置情報を定期的に取得しており、また、移動通信装置１０が備える記憶装置には、送信端末２０ａから入力された送信端末設定データ及び受信端末２０ｂから入力された受信端末設定データが格納されているものとする。
まず、送信端末２０ａは受信端末２０ｂ宛てにＩＭを送信する（ステップＳ１）。
【００２２】
移動通信装置１０は送信端末２０ａからＩＭを受信すると、記憶装置に格納されている送信端末設定データ及び受信端末設定データを参照する（ステップＳ２）。
移動通信装置１０は、送信端末設定データ及び受信端末設定データからメディア変換方式に関する設定内容を読み取り、当該設定内容の組合せに応じてＩＭのメディア種別の変換を行う（ステップＳ３）。そして、変換後のメッセージ（例えば、ＶＭ（ボイスメール、音声）データや文字データ）をデータベース３０に蓄積する(ステップＳ４)。
【００２３】
移動通信装置１０は、送信端末２０ａの位置情報、受信端末２０ｂの位置情報、送信端末設定データ、受信端末設定データに基づいて、データベース３０に蓄積されたメッセージを送信する条件が満たされたか否かを判断する（ステップＳ５）。
条件が満たされたと判断した場合は、移動通信装置１０は、データベース３０に蓄積されたメッセージを受信端末２０ｂに送信する（ステップＳ６）。
受信端末２０ｂは移動通信装置１０からメッセージを受信し、受信者は受信端末２０ｂから出力されるメッセージを聴取する（ステップＳ７）。
【００２４】
［移動通信装置における処理の流れ］
（変換処理）
次に、図４に示すフローチャートを参照して、移動通信装置１０が送信端末２０ａからＩＭを受信した際の処理の流れについて説明する。
前提として、移動通信装置１０は、受信端末２０ｂの位置情報、及び、受信端末２０ｂがＷＬＡＮ圏内に存在するか否かを示す情報を定期的に取得しているものとする。
まず、移動通信装置１０はＩＭを受信する（ステップＳ１０１）。
次に、移動通信装置１０は送信端末設定データ格納部１０１から送信端末設定データを読み込んで、設定内容がメッセージ変換有りか否かを判定する（ステップＳ１０２）。
【００２５】
設定内容がメッセージ変換有の場合には（ステップＳ１０２；Ｙｅｓ）、設定内容が音声データ変換か否かを判定する（ステップＳ１０３）。設定内容が音声データ変換の場合には（ステップＳ１０３；Ｙｅｓ）、変換部１０３はＩＭを音声データに変換し、変換したメッセージをデータベース３０に蓄積する（ステップＳ１０４）。
また、移動通信装置１０は、送信端末設定データの設定内容に送信端末２０ａと受信端末２０ｂとの間の距離の範囲指定が含まれている場合には（ステップＳ１０５；Ｙｅｓ）、送信端末２０ａが存在する位置の緯度経度を送信端末位置情報データとして記憶装置に蓄積しておく（ステップＳ１０６）。
【００２６】
一方、送信端末設定データの設定内容がメッセージ変換無の場合（ステップＳ１０２；Ｎｏ）、受信端末設定データ格納部１０２から受信端末設定データを読み込んで、受信端末設定データの条件ａに基づいてメッセージ変換方式を判断する（ステップＳ１０７）。
受信端末２０ｂがＷＬＡＮ圏内に存在し、条件ａの設定がＩＭ受信（変換無）である場合には、移動通信装置１０は、送信端末２０ａから受信したＩＭをそのまま変換せずにデータベース３０に蓄積する（ステップＳ１０９）。
【００２７】
一方、受信端末２０ｂがＷＬＡＮ圏外に存在し、条件ａの設定が音声データ変換である場合には、変換部１０３は、送信端末２０ａから受信したＩＭを音声データに変換し、変換したメッセージをデータベース３０に蓄積する（ステップＳ１０４）。
一方、受信端末２０ｂがＷＬＡＮ圏外に存在し、条件ａの設定が電子メール変換である場合には、変換部１０３は、送信端末２０ａから受信したＩＭを電子メールに変換し、変換したメッセージをデータベース３０に蓄積する（ステップＳ１０８）。
【００２８】
（蓄積メッセージの送信処理）
次に、図５に示すフローチャートを参照して、移動通信装置１０がデータベース３０に蓄積したメッセージを送信する際の処理の流れについて説明する。
まず、移動通信装置１０は、データベース３０に蓄積されているメッセージを読み込む。また、移動通信装置１０は、自装置１０の記憶装置に格納されている受信端末設定データを読み込み、受信端末設定データの設定内容が位置情報によるメッセージ受信を指定しているか否かを判定する（ステップＳ２０１）。
位置情報によるデータ受信が指定されていない場合には（ステップＳ２０１；Ｎｏ）、メッセージ送信部１０４は受信端末２０ｂにメッセージを送信する（ステップＳ２０３）。
【００２９】
一方、位置情報によるメッセージ受信が指定されている場合には（ステップＳ２０１；Ｙｅｓ）、移動通信装置１０は、送信端末位置情報データ、受信端末位置情報データ、送信端末設定データ、及び、受信端末設定データを記憶装置から読み込む。そして、移動通信装置１０は、送信端末設定データ及び受信端末設定データで設定されている位置情報に関する条件が全て満たされているか否か、すなわち、受信端末２０ｂがメッセージを受信可能な状態か否かを判定する（ステップＳ２０２）。
【００３０】
受信端末２０ｂが蓄積メッセージを受信可能な状態であると判定された場合には（ステップＳ２０２；Ｙｅｓ）、メッセージ送信部１０４は蓄積メッセージを受信端末２０ｂに送信する（ステップＳ２０４）。
一方、受信可能な状態でないと判定された場合には（ステップＳ２０２；Ｎｏ）、受信端末の位置情報が変化した後にステップＳ２０２における判定処理を繰り返す。
【００３１】
（送信条件判定処理）
次に、図６を参照して、図５のステップＳ２０２における送信条件判定処理の詳細な流れについて説明する。
まず、移動通信装置１０は、送信端末設定データを記憶装置から読み込み、送信端末設定データの条件２が位置情報を利用したメッセージ送信有に設定されているか否かを判定する（ステップＳ２０２１）。
条件２が位置情報を利用したメッセージ送信有に設定されていると判定された場合には（ステップＳ２０２１；Ｙｅｓ）、移動通信装置１０は、送信端末位置情報データ及び受信端末位置情報データを記憶装置から読み込む。そして、送信設定データの条件３及び条件４を解析し、条件４の位置情報範囲設定と条件３の送信条件（受信端末２０ｂが設定範囲内に存在すれば送信／設定範囲外に存在すれば送信）とが満たされているか否かを判定する（ステップＳ２０２２）。
【００３２】
条件が満たされていない場合には、移動通信装置１０は、受信端末２０ｂが蓄積メッセージを受信不可能と判断する（ステップＳ２０２３）。
一方、ステップＳ２０２１において条件２が位置情報を利用したメッセージ送信無に設定されている判定された場合、または、ステップＳ２０２２において条件３及び条件４を満たすと判定された場合には、ステップＳ２０２４に進む。ステップＳ２０２４では、受信端末設定データを記憶装置から読み込んで、当該受信端末設定データの条件ｂ（位置情報を利用したメッセージ受信設定有無）を解析する。
【００３３】
条件ｂが位置情報を利用したメッセージ取得を行わない設定であると判定された場合には、移動通信装置１０は、受信端末２０ｂが蓄積メッセージを受信可能であると判断する（ステップＳ２０２６）。
一方、条件ｂが位置情報を利用したメッセージ取得を行う設定であると判定された場合には、移動通信装置１０は、受信端末設定データで設定されている条件ｃ及び条件ｄ（位置情報を利用する場合のメッセージ受信条件設定、位置情報指定）を解析する（ステップＳ２０２５）。
【００３４】
解析した結果、条件ｃ及び条件ｄが満たされると判定された場合には、移動通信装置１０は、受信端末２０ｂが蓄積メッセージを受信可能と判断する（ステップＳ２０２６）。一方、条件ｃ及び条件ｄが満たされないと判定された場合には、移動通信装置１０は、受信端末２０ｂが蓄積メッセージを受信不可能と判断する（ステップＳ２０２３）。
【００３５】
以上説明したように、移動通信装置１０は、送信端末設定データの設定内容と受信端末設定データの設定内容との組合せに応じて、送信端末２０ａから受信端末２０ｂ宛てに送信されたメッセージのメディア種別を変換するため、送信者と受信者との両方の意図を柔軟に反映させてメッセージのメディア種別を変換し、受信端末２０ｂに送信することができる。これにより、メディア種別の選択範囲を広げ、マルチメディアによるメッセージ送信サービスの利用範囲を広げることが可能となる。
【００３６】
例えば、送信者又は受信者の設定によってＩＭデータを音声データに変換することもできるため、受信者は文字を追うことなくメッセージを確認することができる。
また、受信端末２０ｂがＩＭを受信できない環境にあるときには、受信者の設定に合わせてメッセージのメディア種別を変換することができ、マルチメディアによるメッセージ送信サービスの利用範囲を広げることができる。
【００３７】
また、受信端末２０ｂは移動通信装置１０から自動的にメッセージを受信することができる。移動通信装置１０は送信端末設定データと受信端末設定データとで設定されている位置情報に関する条件に基づいて、送信端末２０ａから送信されたメッセージを受信端末２０ｂ宛てに転送すべきか否かを判定することができるため、送信者及び受信者によって設定された位置情報に関するチェックを二重にかけることができる。これにより、情報セキュリティを高め情報漏洩をできるだけ少なくすることができる。例えば、重要な情報を送信する場合に、社内でのみの受信とすることや自席にいるときのみの受信とすることが可能となる。送信者の責任回避策としても利用することが可能である。
【００３８】
なお、送信端末２０ａ及び受信端末２０ｂは移動通信端末に限定されることはなく、例えば、固定端末でもよい。メディア種別を変換することより、どのような端末でもメッセージの送受信が可能である。
また、上述した実施の形態においては、送信端末２０ａからＩＭが送信される場合について説明したが、送信端末２０ａから送信されるメッセージのメディア種別はどのようなメディア種別であっても構わない。
【産業上の利用可能性】
【００３９】
様々なメディア種別のメッセージを送受信な通信ネットワーク及び通信端末に適用可能であり、送信者と受信者との両方の意図を柔軟に反映させてメッセージのメディア種別を変換することができるため、メディア種別の選択範囲や、マルチメディアによるメッセージ送信サービスの利用範囲を広げることが可能となる。
【図面の簡単な説明】
【００４０】
【図１】本発明の本実施の形態に係る通信ネットワークシステムの構成を示す図である。
【図２】同実施の形態に係る移動通信装置の機能構成を示すブロック図である。
【図３】（ａ）は、送信端末設定データ格納部に格納される送信端末設定データのデータ構成の一例を示す図である。  （ｂ）は、受信端末設定データ格納部に格納される受信端末設定データのデータ構成の一例を示す図である。
【図４】同実施の形態に係る移動通信装置が送信端末からＩＭを受信した時の処理の流れを示すフローチャートである。
【図５】同実施の形態に係る移動通信装置がデータベースに蓄積したメッセージを送信する際の処理の流れを示すフローチャートである。
【図６】同実施の形態に係る図５のステップＳ２０２における送信条件判定処理の流れを示すフローチャートである。
【図７】従来のメッセージ変換方式を説明するための図である。
【符号の説明】
【００４１】
１０    移動通信装置
１０１  送信端末設定データ格納部
１０２  受信端末設定データ格納部
１０３  変換部
１０４  メッセージ送信部
２０ａ  送信端末
２０ｂ  受信端末
３０    データベース
【図１】
2007143015.tif 000003
【図２】
2007143015.tif 000004
【図３】
2007143015.tif 000005
【図４】
2007143015.tif 000006
【図５】
2007143015.tif 000007
【図６】
2007143015.tif 000008
【図７】
2007143015.tif 000009